(57)【特許請求の範囲】
【請求項１】
左右方向両端部に設けられたフレーム（１８、２０）間に伸縮可能なヒンジ（２２）が複数配置され、該複数のヒンジの前後に化粧被覆材（２４）を配置することによってアコーディオンドア本体（１６）が形成され、アコーディオンドア本体内には、アコーディオンドア本体を開放状態に保持可能なリールストッパー（４０）が設けられ、リールストッパーは、前記左右方向両端部のフレームのうちの一方である固定側のフレーム（１８）の内側に固定されるストッパーケース（４２）と、ストッパーケースに回転可能に支持されるコードリール（４６）と、一端がコードリールに巻取可能に固着されるとともに他端は前記左右方向両端部のフレームのうちの他方である可動側のフレーム（２０）に固着されるコード（６０）と、コードリールのコード巻取方向の回転を付勢するコードリール付勢手段（４８）と、を有し、アコーディオンドア本体が閉鎖方向に動作したときには、コードがコードリールから引き出され、アコーディオンドア本体が開放方向に動作したときには、コードはコードリールに巻き取られるようになったアコーディオンドアにおいて、
コードにはストッパーケースに出入可能に被係止部材（６２）が設けられており、被係止部材は係止部材（５２）によって係止及び係止解除可能であり、係止部材は係止部材付勢手段（５４）によって常時付勢されており、係止部材付勢手段による付勢力により係止部材が被係止部材を係止することによりコードはコードリールに巻き取られた状態を保持され、コードの引き出し力に応じて係止部材付勢手段の付勢力に抗して係止部材の被係止部材に対する係止が解除されることができ、係止部材付勢手段の付勢力をアコーディオンドア本体外部から調整可能な調整装置（５６）が前記固定側のフレームを貫通して設けられ、
調整装置を調節可能な操作部（５８）が前記固定側のフレームの外側に設けられていることを特徴とするアコーディオンドア。
【請求項２】
係止部材付勢手段はコイルバネであり、該コイルバネは一端が係止部材に当接されているとともに他端が調整装置に連結されており、調整装置によってコイルバネの他端と係止部材との距離を調整可能であることを特徴とする請求項１記載のアコーディオンドア。
【請求項３】
調整装置はアコーディオンドア本体の開閉方向に移動可能であり、調整装置の移動量により係止部材付勢手段による付勢力を調整可能であることを特徴とする請求項１または２記載のアコーディオンドア。
【発明の詳細な説明】
【技術分野】
【０００１】
本発明は、アコーディオンドアの折畳み時において折畳んだアコーディオンドアの逆戻りを阻止して保持することができるアコーディオンドアに関する。
【背景技術】
【０００２】
かかる従来のアコーディオンドアとして、特許文献１に示されるものが知られている。これに示されるものは、アコーディオンドアの両端に固定した枠体のうちの一方の枠体に取付けた筐体内にゼンマイにより回転される巻取具を収納し、巻取具に連結されるワイヤが引き出される側の筐体側壁に筒状部を外方へ突設すると共に筒状部に筐体内に貫通する円孔を穿設し、筒状部の下面に回動片を回動自在に軸承させ、回動片が自由状態にある直立時に上端が円孔内に突出し、下端が円孔の下方側壁に摺動自在に貫通され、かつコイルばねによって常時外方へ移動摺性を与えたストッパの先端と接触させ、巻取具に一端を連結し他端を他方の枠体に固定したワイヤ固定装置に取付けたワイヤの途中に、円孔を嵌入する直径を有する嵌合体を介在し、アコーディオンドアを折畳んだとき、ゼンマイの巻回力によりワイヤを巻取って円孔内に嵌入した嵌合体と回動片とをストッパにより係合させて折畳んだアコーディオンドアの逆戻りを阻止するようになっている。
【０００３】
これにより、閉鎖中のアコーディオンドアを折畳みたいときには、ゼンマイに蓄積された巻回力により自動的に折畳むことができると共に、折畳んだ後には、ワイヤに取付けた嵌合体がストッパの作用を受けて回動片と係合し、円孔内に嵌って止着されるため、強い力で円孔から引き出さない限り、止着状態が外れてアコーディオンドアが自動的に広がってしまうということはなく、折畳んだ状態を維持することができるようにしている。
【先行技術文献】
【特許文献】
【０００４】
【特許文献１】実公昭５８−３６７９０号公報
【発明の概要】
【発明が解決しようとする課題】
【０００５】
このようなアコーディオンドアの化粧被覆材は、一般的に塩化ビニルで構成されるものが多く、冬期は硬くなって折畳んだときの反発力が増し、夏期は柔らかくなって折畳んだときの反発力が弱まるという傾向がある。このため、ストッパの保持力が弱いと、化粧被覆材の反発力が弱い夏期は問題なくても、冬期はアコーディオンドアを折畳んだ状態に保持できずに閉鎖方向へ展開されてしまうことがある。一方で、ストッパの保持力が強いと、化粧被覆材の反発力が強い冬期は問題なくても、夏期はアコーディオンドアを折畳んだ状態での保持力が強すぎて、ストッパの係合を解除するときの操作荷重が重くなったり、アコーディオンドアの反操作側である固定側の枠体の保持力が負けて、固定側の枠体が操作側の枠体と一体に移動してしまうようになり、ストッパを解除することができなかったりすることがある。
【０００６】
そして、上記特許文献１に記載されているものも、コイルばねによって上記外方へ移動摺性を与えたストッパが回動片を押すことによって回動片と嵌合体とが係合し、嵌合体が円孔内に嵌って止着され、コイルばねによりストッパの係合力が不変となっているため、レザーの剛軟度の変化に対応することができないという問題がある。
【０００７】
本発明はかかる課題に鑑みなされたもので、季節やアコーディオンドア使用環境の温度変化に応じて、ユーザーが簡単に折畳んだアコーディオンドアの保持力を調整することができるアコーディオンドアを提供することをその目的とする。
【課題を解決するための手段】
【０００８】
前述した目的を達成するために、本発明の一態様は、左右方向両端部に設けられたフレーム間に伸縮可能なヒンジが複数配置され、該複数のヒンジの前後に化粧被覆材を配置することによってアコーディオンドア本体が形成され、アコーディオンドア本体内には、アコーディオンドア本体を開放状態に保持可能なリールストッパーが設けられ、リールストッパーは、アコーディオンドア本体内で固定されるストッパーケースと、ストッパーケースに回転可能に支持されるコードリールと、一端がコードリールに巻取可能に固着されるとともに他端はアコーディオンドア本体の可動側のフレームに固着されるコードと、コードリールのコード巻取方向の回転を付勢するコードリール付勢手段と、を有し、アコーディオンドア本体が閉鎖方向に動作したときには、コードがコードリールから引き出され、アコーディオンドア本体が開放方向に動作したときには、コードはコードリールに巻き取られるようになったアコーディオンドアにおいて、
コードにはストッパーケースに出入可能に被係止部材が設けられており、被係止部材は係止部材によって係止及び係止解除可能であり、係止部材は係止部材付勢手段によって常時付勢されており、係止部材付勢手段による付勢力により係止部材が被係止部材を係止することによりコードはコードリールに巻き取られた状態を保持され、コードの引き出し力に応じて係止部材付勢手段の付勢力に抗して係止部材の被係止部材に対する係止が解除されることができ、係止部材付勢手段の付勢力をアコーディオンドア本体外部から調整可能な調整装置が設けられることを特徴とする。
【０００９】
さらに、本発明の一態様は係止部材付勢手段がコイルバネであり、該コイルバネは一端が係止部材に当接されているとともに他端が調整装置に連結されており、調整装置によってコイルバネの他端と係止部材との距離を調整可能であることを特徴とする。
【００１０】
さらに、本発明の一態様は、調整装置がアコーディオンドア本体の開閉方向に移動可能であり、調整装置の移動量により係止部材付勢手段による付勢力を調整可能であることを特徴とする。
【００１１】
さらに、本発明の一態様は、左右方向両端部のフレームのうちの一方のフレームに、調整装置を調整可能な操作部が設けられることを特徴とする。
【発明の効果】
【００１２】
本発明によれば、調整装置によって係止部材付勢手段による付勢力を調整できるようにしたため、付勢力を大きくしたときには係止部材による被係止手段の保持力を大きくすることができ、付勢力を小さくしたときには係止部材による被係止手段の保持力を小さくすることができ、季節やアコーディオンドアの使用環境の温度変化に応じて係止部材により被係止手段の保持力を調整することができる。
【００１３】
また、調整装置はアコーディオンドア本体の外部から調整可能であるため、ユーザーが簡単に調整することができる。
【図面の簡単な説明】
【００１４】
【図１】本発明の第１の実施形態のアコーディオンドアの正面図である。
【図２】本発明の第１の実施形態のアコーディオンドアの内部を表す正面図である。
【図３】本発明の第１の実施形態のアコーディオンドアの側面図である。
【図４】本発明の第１の実施形態の夏期のリールストッパーの状態を表し、（ａ）はリールストッパー及び固定側フレームの側断面図であり、（ｂ）は調整装置の操作部の正面図である。
【図５】本発明の第１の実施形態の冬期のリールストッパーの状態を表し、（ａ）はリールストッパー及び固定側フレームの側断面図であり、（ｂ）は調整装置の操作部の正面図である。
【図６】本発明の第１の実施形態のリールストッパー及び固定側フレームの部分側断面図であり、（ａ）はカムが被係止手段を係止している状態を、（ｂ）はカムによる被係止手段の係止が解除されている途中の状態を、（ｃ）はカムによる被係止手段の係止が解除された後の状態を、それぞれ示す。
【図７】調整装置の操作部の様々な例を表す正面図である。
【発明を実施するための形態】
【００１５】
以下、図面を用いて本発明の実施の形態を説明する。
【００１６】
図１ないし図３に示すように、本発明の第１の実施形態のアコーディオンドア１０は、例えば、室内のドア枠等の開口枠部１００内に配設されて、開口部を閉鎖するものであり、開口枠部１００の上枠１００ａにアコーディオンドア１０のレール１２が取付けられ、該レール１２を走行可能となった複数のランナー１４によって、アコーディオンドア本体１６が吊下げ支持されている。アコーディオンドア本体１６は、左右方向両端部に設けられた固定側端部となる固定フレーム１８及び可動側端部となる可動フレーム２０と、固定フレーム１８及び可動フレーム２０の間に渡り伸縮可能なヒンジ２２と、ヒンジ２２に連結されてヒンジ２２の前後に配置される布、プラスチックシート、レザー等からなる化粧被覆材２４とから形成される。ヒンジ２２は、本実施の形態では上下方向に等間隔で三段設けられているが、これに限定されず、アコーディオンドア本体の大きさなどに応じて適当な間隔で複数設けることができる。
【００１７】
図３に固定フレーム１８の側面１８ａを示すように、固定フレーム１８及び同様に可動フレーム２０にはこれらの側面１８ａ、２０ａの上下２か所に磁石２６、２８がそれぞれ設けられている。固定フレーム１８の磁石２６は開口枠部１００の左側枠１００ｂの上下２か所に設けられる金属板１０２に吸着可能であり、磁石２６及び金属板１０２が互いに吸着することにより、固定フレーム１８を左側枠１００ｂに着脱可能に固定する。一方、可動フレーム２０の磁石２８は開口枠部１００の右側枠１００ｃの上下２か所に設けられた金属板１０４に吸着可能であり、可動フレーム２０を右側枠１００ｃに着脱可能に固定する。なお、磁石２６は、化粧被覆材２４の開閉操作によって左側枠１００ｂから容易に外れることがない程度の吸着力で金属板１０２に吸着されており、一方、磁石２８は化粧被覆材２４の開放方向の操作時に右側枠１００ｃから容易に離脱することができる程度の吸着力で金属板１０４に吸着されている。
【００１８】
可動フレーム２０の前後面には把持部３０が前後方向に突出するように設けられており、これら把持部３０を把持して可動フレーム２０をレール１２に沿って移動可能である。
【００１９】
アコーディオンドア本体１６内にはリールストッパー４０が設けられており、リールストッパー４０は、アコーディオンドア本体１６内で固定フレーム１８に固定されるストッパーケース４２を有している。
【００２０】
ストッパーケース４２は、図４及び図５に示すようにケース本体４４とケース蓋４５とを有する。ケース本体４４内には、円筒形空洞が形成されており、該空洞内には、ケース本体４４と一体に円周状の仕切壁４４ａが形成される。
【００２１】
このケース本体４４内の円筒形空洞内には、コードリール４６が回転可能に配置される。コードリール４６には、円周状の巻取部４６ａと、その中心に中心部４６ｂとが一体に形成されており、巻取部４６ａは仕切壁４４ａの外周側に、中心部４６ｂは仕切壁４４ａの内周側に配置される。
【００２２】
巻取部４６ａには、コード６０の一端が固着されて、コード６０は巻取部４６ａに巻取可能となっている。コード６０の他端は、ストッパーケース４２外に導出されて、取付具５１を介して可動フレーム２０に固着される。また、ケース本体４４外に導出されるコード６０の途中位置には円筒状のロック体（被係止部材）６２が取付けられる。
【００２３】
仕切壁４４ａの内周側にはぜんまい（コードリール付勢手段）４８が配設され、このぜんまい４８の一端はコードリール４６の中心部４６ｂに、他端はケース本体４４に形成された係止部４４ｂに連結されている。ぜんまい４８の付勢力により、コードリール４６は、コード巻取方向に回転するように常時付勢される。
【００２４】
ストッパーケース４２のケース本体４４の下方には、ケース本体４４外に導出されたコード６０の配回し方向を変更するコード転回部４９と、コード転回部４９により転回されたコード６０のストッパーケース４２下部からの導出を案内するコード案内部５０とが形成されている。コード案内部５０は、これの内部にロック体６２を収納可能であり、コード案内部５０を通ってこれに案内されてロック体６２はストッパーケース４２に対し進入及び脱出可能である。
【００２５】
さらに、ストッパーケース４２のケース本体４４とコード案内部５０との間には、カム（係止部材）５２が回動可能に軸支されている。カム５２の上部にはコイルバネ（係止部材付勢手段）５４の一端に設けられたストッパ５５が弾接しており、カム５２の下部はロック体６２に当接してロック体６２を係止可能である。カム５２がロック体６２を係止することによりコード６０はコードリール４６に巻き取られた状態を保持され、コード６０の引き出し力の大きさに応じてコイルバネ５４の付勢力に抗してカム５２のロック体６２に対する係止が解除されると、コード６０は引き出し可能となる。
【００２６】
コイルバネ５４の他端は調整装置５６に連結されている。調整装置５６は雄ねじで構成されており、ねじ先５６ａがコイルバネ５４に連結され、ねじ軸５６ｂが固定フレーム１８に螺合して固定フレーム１８を貫通し、頭部５６ｃが固定フレーム１８の側面１８ａから外部に突出している。調整装置５６は、これが回転することにより固定フレーム１８の側方、すなわち、アコーディオンドア本体１６の開閉方向に移動する。
【００２７】
図３及び図７（ａ）に示すように、調整装置５６の頭部５６ｃは固定フレーム１８の側面１８ａとともに操作部５８を構成する。固定フレーム１８の側面１８ａから突出する頭部５６ｃの上方には、矢印５８ａが付され、矢印５８ａの図中左右上部には「夏期」及び「冬期」等を表示した表示部５８ｂが付されている。これら矢印５８ａと表示部５８ｂの表示は、夏期と冬期とで化粧被覆材２４の反発力が変わることに対応して、夏期と冬期とでコイルバネ５４によるカム５２への付勢力を調整装置５６で調整するための頭部５６ｃの回転方向を示すものである。
【００２８】
以上のように構成されるアコーディオンドア本体１６において、アコーディオンドア本体１６を開閉する際の動作について、図６（ａ）ないし（ｃ）に基づいて説明する。
【００２９】
（１）  図６（ａ）は、化粧被覆材２４が完全に折畳まれて、アコーディオンドア本体１６が開放状態にある状態を示し、この状態では、コード６０はコードリール４６にほぼ完全に巻き取られており、ロック体６２はコード案内部５０内に位置しており、折畳まれた化粧被覆材２４の反発力を受けて、ロック体６２はカム５２に当接している。カム５２にはコイルバネ５４の付勢力が作用しており、これによって折畳まれた状態が保持される。
【００３０】
（２）  開放状態のアコーディオンドア本体１６を、化粧被覆材２４を展開して閉鎖するには、把持部３０を持って、可動フレーム２０を図１中右方向にスライドさせる。可動フレーム２０にはコード６０の他端が固着されているため、コード６０に図６（ｂ）中矢印Ｅで示す方向の引っ張り力が加わる。このため、コード６０がコードリール４６から巻解かれ、ロック体６２がコード案内部５０内を図中右方向へ移動するため、ロック体６２に押されたカム５２がコイルバネ５４の付勢力に抗して図中反時計方向に回転し、カム５２によるロック体６２の拘束が解除される。
【００３１】
（３）  可動フレーム２０をさらにスライドさせていくと、図６（ｃ）に示すように、コード６０がコードリール４６から巻解かれて、コード案内部５０から引き出されていく。このとき、ロック体６２もコード６０とともに図中矢印Ｆで示す方向に移動していく。可動フレーム２０を開口枠部１００の右側枠１００ｃに当接する位置までスライドさせて、可動フレーム２０の磁石２８を右側枠１００ｃの金属板１０４に吸着させることにより、可動フレーム２０を右側枠１００ｃに連結することができ、よって、アコーディオンドア本体１６が閉鎖状態となる。
【００３２】
（４）  閉鎖状態となったアコーディオンドア本体１６を開放状態とするには、把持部３０を持って、可動フレーム２０を図１中左方向にスライドさせて右側枠１００ｃから取り外すと、ぜんまいの蓄積力によりコードリール４６が自動的に巻き取られていき、ロック体６２がコード案内部５０内に誘導されて、カム５２に当接すると、カム５２が図中時計方向に回転し、ロック体６２がカム５２を通過して図６（ａ）の状態に戻る。
【００３３】
化粧被覆材２４は夏期には柔らかくなって折畳んだときの反発力が弱まり、冬期には硬くなって折畳んだときの反発力が大きくなる。このため、反発力が弱い夏期にはコイルバネ５４の付勢力を小さくして、折畳んだ状態での保持力が強すぎて開放するための操作荷重が重くなったり、化粧被覆材２４の展開時に反操作側である固定フレーム１８の保持力が負けて固定フレーム１８が左側枠１００ｂから外れてしまいロック体６２を解除できなかったりすることを防止し、一方、化粧被覆材２４の反発力が強い冬期にはコイルバネ５４の付勢力を大きくして、折畳んだ状態が保持できずに閉鎖方向へ展開されてしまうことを防止するべく調整することが望まれる。
【００３４】
そのため、夏期の調整を行う場合には、図４（ｂ）に示すように、表示部５８ｂの「夏期」の表示に従い、頭部５６ｃを図中矢印Ａで示す反時計方向に回転させる。これにより、ねじ軸５６ｂが図中矢印Ｂ方向に移動してねじ先５６ａ（コイルバネ５４の他端）とカム５２との距離が離れ、コイルバネ５４による付勢力が小さくなり、カム５２が一点鎖線で示す状態から実線で示す状態になる。このため、化粧被覆材２４を折畳んだ状態でのカム５２の保持力が小さくなり、化粧被覆材２４を開放するための操作荷重が軽くなるとともに、展開時にロック体６２を容易に解除することができる。
【００３５】
一方、冬期の調整を行う場合、図５（ｂ）に示すように、表示部５８ｂの「冬期」の表示に従い、頭部５６ｃを図中矢印Ｃで示す時計方向に回転させる。これにより、ねじ軸５６ｂが図中矢印Ｄ方向に移動してねじ先５６ａ（コイルバネ５４の他端）とカム５２との距離が近づき、コイルバネ５４による付勢力が大きくなり、カム５２が一点鎖線で示す状態から実線で示す状態になる。このため、化粧被覆材２４を折畳んだ状態でのカム５２の保持力が大きくなり、折畳んだ状態の化粧被覆材２４が展開されてしまうことを防止することができる。
【００３６】
こうして、季節やアコーディオンドアの使用環境の温度変化に応じて、ユーザーが保持力の調整を簡単に行うことができる。
【００３７】
図７（ｂ）ないし（ｄ）は、操作部５８の他の例である。
【００３８】
図７（ｂ）は、図７（ａ）の表示部５８ｂの表示のみを変更したものであり、矢印５８ａの左上部に「弱」を、右上部に「強」を、そして中央上部に「保持力」をそれぞれ記載したものである。この表示部５８ｂのように、頭部５６ｃを図中反時計方向に回転させるとカム５２の保持力が弱くなり、図中時計方向に回転させるとカム５２の保持力が強くなるようにコイルバネ５４の付勢力を調整することができる。
【００３９】
図７（ｃ）は、図７（ａ）の調整装置５６の頭部５６ｃをレバー７０に変更したものであり、夏期にはレバー７０を図中反時計方向に回転し、冬期にはレバーを図中時計方向に回転させて調整するものである。これによって、工具を不要として、弱い操作力でコイルバネ５４の付勢力を調整することができる。
【００４０】
図７（ｄ）は、図７（ａ）の頭部５６ｃの代わりにスライダ７２を上下方向にスライドさせることにより調整装置５６を調整するものであり、スライダ７２の形状に合わせて表示５８ｂもスライダ７２の上部に「夏期」を、下部に「冬期」をそれぞれ表示するように変更し、夏期にはスライダ７２を上方にスライドさせ、冬期にはスライダ７２を下方にスライドさせることにより、このスライダ７２の上下方向の運動を適宜の運動に変換する変換機構を介してコイルバネ５４の付勢力を調整するようにしてもよい。
【符号の説明】
【００４１】
１６  アコーディオンドア本体
１８  固定フレーム
２０  可動フレーム
２２  ヒンジ
２４  化粧被覆材
４０  リールストッパー
４２  ストッパーケース
４６  コードリール
４８  ぜんまい（コードリール付勢手段）
５２  カム（係止部材）
５４  コイルバネ（係止部材付勢手段）
５６  調整装置
５８  操作部
６０  コード
６２  ロック体（被係止部材）
【図１】
0005957261.tif 000002
【図２】
0005957261.tif 000003
【図３】
0005957261.tif 000004
【図４】
0005957261.tif 000005
【図５】
0005957261.tif 000006
【図６】
0005957261.tif 000007
【図７】
0005957261.tif 000008